(57)【要約】【課題】一のモバイル機器を起動した際に、他のモバイル機器が有している情報の存在についても確認すること。【解決手段】複数のモバイル機器を備え、各モバイル機器が、他のモバイル機器と通信する通信部１２と、情報を記憶する情報記憶部１５と、該情報記憶部１５および他のモバイル機器の情報記憶部１５に記憶されている情報のリストを記憶するリスト記憶部１８と、表示部１３と、制御部１６とを備え、制御部１６が、情報記憶部１５に記憶されているリストを表示部１３に表示するとともに、他のモバイル機器の情報記憶部１５に記憶されている情報が指定されたときに、通信部１２により他のモバイル機器に対し情報の送信を要求し、該要求に応じて送信されてきた情報を表示部１３に表示させるモバイル機器システムを提供する。【選択図】図２
2008085791.tif 000002
【特許請求の範囲】
【請求項１】
複数のモバイル機器を備え、
各モバイル機器が、他のモバイル機器と通信する通信手段と、情報を記憶する情報記憶手段と、該情報記憶手段および他のモバイル機器の情報記憶手段に記憶されている情報のリストを記憶するリスト記憶手段と、表示手段と、制御手段とを備え、
前記制御手段が、前記情報記憶手段に記憶されているリストを前記表示手段に表示するとともに、他のモバイル機器の情報記憶手段に記憶されている情報が指定されたときに、前記通信手段により他のモバイル機器に対し情報の送信を要求し、該要求に応じて送信されてきた情報を前記表示手段に表示させるモバイル機器システム。
【請求項２】
各前記モバイル機器の前記制御手段が、前記リスト記憶手段からファイル種別を取得し、取得したファイル種別の一覧を前記表示手段に表示する請求項１に記載のモバイル機器システム。
【請求項３】
各前記制御手段が、前記リスト記憶手段からファイル種別及びファイル情報を抽出し、抽出した該ファイル種別及びそれに対応付けられている各前記ファイル情報の一覧を前記表示手段に表示する請求項１に記載のモバイル機器システム。
【請求項４】
各前記モバイル機器が、他のモバイル機器からの起動信号に応じて電源を起動する起動手段を備え、
各前記モバイル機器の制御手段が、前記リストにおいて指定された情報が他のモバイル機器の情報記憶手段に記憶されている場合には、当該他のモバイル機器に対し起動信号を送信するよう前記通信手段を制御する請求項１から請求項３のいずれかに記載のモバイル機器システム。
【請求項５】
各前記モバイル機器が、前記情報記憶手段に記憶されている情報が変更されたとき、または、他のモバイル機器から更新情報を受信したとき、前記リスト記憶手段に記憶されているリストを更新するリスト更新手段を備え、
各前記モバイル機器の制御手段が、当該モバイル機器の情報記憶手段に記憶されている情報が変更されたとき、他のモバイル機器に対し、更新情報を送信するよう前記通信手段を制御する請求項１から請求項４のいずれかに記載のモバイル機器システム。
【請求項６】
他のモバイル機器と通信する通信手段と、
情報を記憶する情報記憶手段と、
該情報記憶手段および他のモバイル機器の情報記憶手段に記憶されている情報のリストを記憶するリスト記憶手段と、
表示手段と、
制御手段と
を備え、
前記制御手段が、前記情報記憶手段に記憶されているリストを前記表示手段に表示するとともに、他のモバイル機器の情報記憶手段に記憶されている情報が指定されたときに、前記通信手段により他のモバイル機器に対し情報の送信を要求し、該要求に応じて送信されてきた情報を前記表示手段に表示させるモバイル機器。
【発明の詳細な説明】
【技術分野】
【０００１】
本発明は、複数のモバイル機器を連携して作動させるモバイル機器システムに関するものである。
【背景技術】
【０００２】
近年、情報の多様化が進み、携帯電話機、ラップトップパソコン、情報通信端末、デジタルカメラ、音楽再生機器等の各種の機能を持つモバイル機器が、外出時において一度に持ち歩かれる機会が増えている（特許文献１参照）。
例えば、特許文献１には、デジタルカメラで撮影した画像データをローカルネットワークを介して携帯電話機に送信し、さらに携帯電話機で外部のネットワークに送信することにより、複数のモバイル機器を組み合わせて利用することが開示されている。
【特許文献１】特開２００２−９８７９号公報
【発明の開示】
【発明が解決しようとする課題】
【０００３】
ところで、同時に持ち運んでいる複数のモバイル機器の内のいずれかのモバイル機器において、他のモバイル機器に記憶されている情報を見たい場合、当該他のモバイル機器からデータを転送してもらう必要がある。
しかしながら、モバイル機器の場合、使用していないときには、電源の消耗を抑えるために電源オフ状態としていることが一般的であり、電源を立ち上げてからでなければ、その情報の存在を確認できないという不都合がある。電源を立ち上げた結果、当該モバイル機器内に情報が存在しないことが判明する場合もあり、作業が煩わしく、また、目的の情報を確認するまでに相当の時間を要するという問題があった。
【０００４】
本発明は、上記問題を解決するためになされたもので、一のモバイル機器を起動した際に、他のモバイル機器が有している情報の存在についても確認することのできるモバイル機器システム及びモバイル機器を提供することを目的とする。
【課題を解決するための手段】
【０００５】
上記課題を解決するために、本発明は以下の手段を採用する。
本発明は、複数のモバイル機器を備え、各モバイル機器が、他のモバイル機器と通信する通信手段と、情報を記憶する情報記憶手段と、該情報記憶手段および他のモバイル機器の情報記憶手段に記憶されている情報のリストを記憶するリスト記憶手段と、表示手段と、制御手段とを備え、前記制御手段が、前記情報記憶手段に記憶されているリストを前記表示手段に表示するとともに、他のモバイル機器の情報記憶手段に記憶されている情報が指定されたときに、前記通信手段により他のモバイル機器に対し情報の送信を要求し、該要求に応じて送信されてきた情報を前記表示手段に表示させるモバイル機器システムを提供する。
【０００６】
このような構成によれば、リスト記憶手段に記憶されているリストを表示手段に表示するので、ユーザはこの表示手段を確認することにより、他のモバイル機器が保有している情報の存在を確認することができる。これにより、他のモバイル機器を起動してから情報の存在を確認するなどの作業が不要となる。
更に、当該モバイル機器の表示手段に表示されたリスト内において、他のモバイル機器の情報記憶手段に記憶されている情報が指定された場合には、その情報の送信要求が他のモバイル機器に送信されることとなる。この場合、この要求を受けた他のモバイル機器が起動状態にあれば、この情報が返信されて、当該モバイル機器の表示手段に表示される。従って、ユーザは、あたかも自己が操作しているモバイル機器の情報記憶手段に記憶されているかのように当該情報を確認することができる。
【０００７】
上記モバイル機器システムにおいて、各前記モバイル機器の前記制御手段が、前記リスト記憶手段からファイル種別を取得し、取得したファイル種別の一覧を前記表示手段に表示することとしてもよい。
【０００８】
このような構成によれば、当該モバイル機器及び他のモバイル機器の情報記憶手段に記憶されている各種ファイル情報のファイル種別の一覧が表示手段に表示されるので、ユーザは所望するファイル情報がどのモバイル機器の情報記憶手段に格納されているのかを意識することなく、当該リストの中から所望のファイル種別を選択することができる。また、上記表示画面において、一のファイル種別がユーザにより選択された場合には、制御手段が、選択されたファイル種別に該当するファイル情報をリスト記憶手段から読み出し、これを表示手段に表示させることとしてもよい。このように、段階的に表示を行うことで、ユーザは所望のファイル情報を容易に指定することができる。
【０００９】
上記モバイル機器システムにおいて、各前記制御手段が、前記リスト記憶手段からファイル種別及び該ファイル種別に対応付けられたファイル情報を抽出し、抽出した該ファイル種別及びそれに対応付けられている各前記ファイル情報の一覧を前記表示手段に表示することとしてもよい。
【００１０】
このような構成によれば、当該モバイル機器及び他のモバイル機器の情報記憶手段に記憶されている各ファイル情報がファイル種別毎に区分されて、表示手段に表示されることとなる。これにより、ユーザは、所望するファイル情報がどのモバイル機器の情報記憶手段に格納されているのかを意識することなく、当該表示画面から所望のファイル情報を指定することができる。この結果、ユーザは、所望のファイル情報を効率的に指定することができる。
【００１１】
上記モバイル機器システムにおいて、各前記モバイル機器が、他のモバイル機器からの起動信号に応じて電源を起動する起動手段を備え、各前記モバイル機器の制御手段が、前記リストにおいて指定された情報が他のモバイル機器の情報記憶手段に記憶されている場合には、当該他のモバイル機器に対し起動信号を送信するよう前記通信手段を制御することとしてもよい。
【００１２】
このような構成によれば、他のモバイル機器をリモート起動させることができるので、該他のモバイル機器の情報記憶手段に記憶されている情報を取得することが可能となる。これにより、ユーザによって指定された情報を確実に表示させることができる。
【００１３】
上記モバイル機器システムにおいて、各前記モバイル機器が、前記情報記憶手段に記憶されている情報が変更されたとき、または、他のモバイル機器から更新情報を受信したとき、前記リスト記憶手段に記憶されているリストを更新するリスト更新手段を備え、各前記モバイル機器の制御手段が、当該モバイル機器の情報記憶手段に記憶されている情報が変更されたとき、他のモバイル機器に対し、更新情報を送信するよう前記通信手段を制御することとしてもよい。
【００１４】
このような構成によれば、一のモバイル機器において情報記憶手段に記憶されている情報が変更された場合には、その更新情報が一のモバイル機器の通信手段により他のモバイル機器に送信され、この更新情報を受信した他のモバイル機器においては、この更新情報に基づいてリスト記憶手段に記憶されているリストがリスト更新手段により更新される。これにより、モバイル機器間で最新のリスト情報を共有することが可能となる。
【００１５】
本発明は、他のモバイル機器と通信する通信手段と、情報を記憶する情報記憶手段と、該情報記憶手段および他のモバイル機器の情報記憶手段に記憶されている情報のリストを記憶するリスト記憶手段と、表示手段と、制御手段とを備え、前記制御手段が、前記情報記憶手段に記憶されているリストを前記表示手段に表示するとともに、他のモバイル機器の情報記憶手段に記憶されている情報が指定されたときに、前記通信手段により他のモバイル機器に対し情報の送信を要求し、該要求に応じて送信されてきた情報を前記表示手段に表示させるモバイル機器を提供する。
【００１６】
このような構成によれば、リスト記憶手段に記憶されているリストを表示手段に表示するので、ユーザはこの表示手段を確認することにより、他のモバイル機器が保有している情報の存在を確認することができる。これにより、他のモバイル機器を起動してから情報の存在を確認するなどの作業が不要となる。
更に、当該モバイル機器の表示手段に表示されたリスト内において、他のモバイル機器の情報記憶手段に記憶されている情報が指定された場合には、その情報の送信要求が他のモバイル機器に送信されることとなる。この場合、この要求を受けた他のモバイル機器が起動状態にあれば、この情報が返信されて、当該モバイル機器の表示手段に表示される。従って、ユーザは、あたかも自己が操作しているモバイル機器の情報記憶手段に記憶されているかのように当該情報を確認することができる。
上記の各種態様は、可能な範囲で組み合わせて利用することができるものである。
【発明の効果】
【００１７】
本発明によれば、一のモバイル機器を起動した際に、他のモバイル機器が有している情報の存在についても確認することができるという効果を奏する。
【発明を実施するための最良の形態】
【００１８】
以下に、本発明に係るモバイル機器システムの一実施形態について、図面を参照して説明する。
図１は、本発明の一実施形態に係るモバイル機器システム１の一構成例を示したものである。この図に示すように、モバイル機器システム１は、複数のモバイル機器、具体的には、携帯電話機３、携帯型音楽再生機４、ＰＤＡ（Personal Digital Assistants）５、ラップトップパソコン（以下「パソコン」という。）６を備えている。なお、これらのモバイル機器は一例であり、一般的に携帯して用いられる電子機器を任意に組み合わせて採用することが可能である。
【００１９】
上述の各モバイル機器は、共通する以下の構成要素をそれぞれ備えている。つまり、図２に示すように、各モバイル機器は、通信部（通信手段）１２、表示部（表示手段）１３、入力部１４、情報記憶部（情報記憶手段）１５、制御部（制御手段）１６、リスト記憶部（リスト記憶手段）１８、リスト更新部（リスト更新手段）１９、起動部（起動手段）２０をそれぞれ備えている。これらの各部は、バス１７を介して相互に接続されており、相互間における情報の授受が可能な構成とされている。
【００２０】
上記構成要素は、各モバイル機器が一般的に備えている構成要素とは個別に備えられていても良いし、各モバイル機器が一般的に備えている構成要素と併用することとしても良い。例えば、携帯電話機３であれば、一般的に通信部、表示部、及び入力部を備えているので、これらの構成要素のうち、重複する構成要素については併用することが好ましい。他のモバイル機器についても同様である。
【００２１】
通信部１２は、無線により他のモバイル機器と通信可能とされている。例えば、携帯電話機３の通信部１２であれば、携帯型音楽再生機４、ＰＤＡ５、パソコン６との間でそれぞれ通信が可能とされている。
表示部１３は、例えば、液晶ディスプレイである。入力部１４は、例えば、キーボード、ボタンなどであり、マンマシンインターフェースとして機能する。
【００２２】
情報記憶部１５には、画像データや音楽データなどの各種データが格納されているとともに、他のモバイル機器と通信を可能とするための各種情報、並びに表示部１３に表示させる際の各モバイル機器のアイコン等の情報が格納されている。
リスト記憶部１８には、図３に示すように、自機の情報記憶部１５に格納されている各種データのリスト、並びに、他のモバイル機器の情報記憶部１５に格納されている各種データのリストが各モバイル機器の識別番号及び名称と対応付けて格納されている。
上記リストにおいて、各種データは、ファイル種別ごとに分類されている。ファイル種別とは、例えば、異なるファイル形式をいい、具体的には、ＣＳＶ等のテキストデータ、ＪＰＧ等の写真データ、ＭＰ３等の音楽データ等が挙げられる。本実施形態では、ファイル種別として、図３に示すように、住所録、スケジュール、写真、音楽を一例に挙げている。
リスト更新部１９は、自機の情報記憶部１５に格納されるデータが更新された場合に、リスト記憶部１８のリストを更新するとともに、他のモバイル機器からリストの更新情報を受信した場合に、この更新情報に基づいてリスト記憶部１８のリストを更新する。
起動部２０は、他のモバイル機器から起動信号を受信した場合に、当該モバイル機器を起動させる。
制御部１６は、上述した各部を統括して制御する。
【００２３】
上述したような共通する構成を有する各モバイル機器においては、図４に示すような処理が制御部１６により実行される。なお、以下に示す処理は、各モバイル機器の制御部１６によりそれぞれ実行される処理であるが、説明の便宜上、ここでは、携帯電話機３の制御部１６を代表的に取り上げて説明する。
【００２４】
まず、携帯電話機３がユーザにより操作されて、リストの閲覧モードが指定されると（図４のステップＳＡ１）、携帯電話機３の制御部１６は、リスト記憶部１８から各モバイル機器のリストを読み出し、リストに関する情報を表示部１３に表示させる（ステップＳＡ２）。ユーザは、この表示画面を見ながら入力部１４を操作し、一のファイルまたはデータを指定する。例えば、ファイルまたはデータの指定は、以下のように行われる。
【００２５】
例えば、図５に示すように、制御部１６は、リスト記憶部１８からファイル種別を読み出し、読み出したファイル種別を表示部１３に表示させる。この表示画面において、ユーザにより一のファイル種別、例えば、図６に示すように、「写真」が指定されると、制御部１６は、写真のデータを有しているモバイル機器をリストから特定し、特定したモバイル機器の情報を表示部１３に表示させる。ここでは、図３に示したように、写真のデータを有しているのは携帯電話機３及びパソコン６であるので、制御部１６は図７に示すように、これらのアイコンを表示部１３に表示させる。この表示画面において、ユーザにより一のモバイル機器、例えば、図８に示すように「携帯電話機」が指定されると、制御部１６は、携帯電話機３が有している写真のファイルまたはデータをリストから特定し、特定した携帯電話機３の写真のファイルまたはデータを表示部１３に表示させる。このときの表示画面の一例を図９に示す。ユーザは、この表示画面において所望のファイルまたはデータを指定することが可能となる。図９では、ファイルＣ２がユーザにより指定された場合を示している。
【００２６】
ユーザにより所定のファイルまたはデータが指定されると（ステップＳＡ３）、制御部１６は指定されたファイルまたはデータが自機の情報記憶部１５に記憶されているか否かを判断する（ステップＳＡ４）。これは、例えば、リスト記憶部１８に記憶されているリストを参照することで判断できる。
この結果、指定されたファイルまたはデータが、自機の情報記憶部１５に記憶されている場合には（ステップＳＡ４において「ＹＥＳ」）、制御部１６は、自機の情報記憶部１５から指定されたデータまたはファイルを読み出して、表示部１３に表示させ（ステップＳＡ５）、当該処理を終了する。
【００２７】
一方、他のモバイル機器の情報記憶部１５に記憶されているデータが指定された場合には（ステップＳＡ４において「ＮＯ」）、指定された他のモバイル機器に対して起動信号を送信する（ステップＳＡ６）。これにより、起動信号が指定された他のモバイル機器により受信され、起動部２０の作動により対応する他のモバイル機器が起動される。このモバイル機器の制御部１６は、起動した旨を示す起動応答信号を当該起動信号の送信元である携帯電話機３に返信する。
【００２８】
携帯電話機３において、上記起動応答信号が通信部１２により受信されると（ステップＳＡ７）、続いて、制御部１６は、ユーザにより指定されたファイルまたはデータの送信要求を該他のモバイル機器に送信する（ステップＳＡ８）。これにより、当該送信要求を受信した他のモバイル機器は、指定されたファイルまたはデータを自機の情報記憶部１５から読み出し、読み出したファイルまたはデータを送信要求の送信元である携帯電話機３に送信する。
携帯電話機３において、このファイルまたはデータが通信部１２により受信されると（ステップＳＡ９）、制御部１６は受信したファイルまたはデータを表示部１３に表示し（ステップＳＡ１０）、当該処理を終了する。
【００２９】
次に、各モバイル機器において、情報記憶部１５に格納されている情報が更新された場合に実行されるリスト更新処理について図１０を参照して説明する。なお、以下の説明においては、携帯電話機３において情報記憶部１５の更新がされた場合を例に挙げて説明する。
【００３０】
まず、携帯電話機３がユーザにより操作されることにより、情報記憶部１５のデータが更新されると（ステップＳＢ１）、このデータ更新に対応してリスト記憶部１８に格納されているリストがリスト更新部１９により更新される（ステップＳＢ２）。
例えば、携帯電話機３において、音楽データファイルＸ１が追加された場合、リスト更新部１９は、リスト記憶部１８に記憶されているリストにおいて、携帯電話機３の音楽データリストに「ファイルＸ１」を追加し、リストを更新する。
【００３１】
このようにしてリストが更新されると、携帯電話機３の制御部１６は、更新後のリストをリスト記憶部１８から読み出し、このリスト情報と自機の識別情報「０００３」とを対応付けて他のモバイル機器へ送信する（ステップＳＢ３）。これにより、他のモバイル機器、具体的には、携帯型音楽再生機４、ＰＤＡ５、パソコン６の送信部１２により、更新後のリスト情報が受信されることとなる。
【００３２】
他のモバイル機器の各々においては、受信したリスト情報に基づいてリスト更新部１９がリスト記憶部１８のリストを更新する（ステップＳＢ４）。これにより、携帯型音楽再生機４、ＰＤＡ５、パソコン６のリスト記憶部１８に格納されるリストについても、携帯電話機３の音楽データリストに「ファイルＸ１」が追加され、最新のリストとされる。
【００３３】
以上、説明してきたように、本実施形態に係るモバイル機器システム１によれば、自機の情報記憶部１５に記憶されているファイルやデータのリストだけでなく、他のモバイル機器の情報記憶部１５に記憶されているファイルやデータのリストについてもリスト記憶部１８に記憶されているので、このリスト記憶部１８に記憶されているリストを表示部１３に表示させることにより、他のモバイル機器が電源オフ状態にあっても、他のモバイル機器が保有している情報をユーザに対して提示することができる。これにより、ユーザは、他のモバイル機器を起動させることなく、他のモバイル機器が有している情報についても確認することができる。
【００３４】
更に、ユーザが起動させたモバイル機器の表示部１３に表示されたリストにおいて、ユーザが他のモバイル機器の情報記憶部１５に記憶されている情報を指定した場合には、その情報の送信要求が他のモバイル機器に送信され、この要求を受けた他のモバイル機器からこの情報が返信されて、当該モバイル機器の表示部１３に表示される。従って、ユーザは、あたかも自己が操作しているモバイル機器の情報記憶部１５に記憶されているかのように指定した情報を確認することができる。
【００３５】
また、指定された情報を有するモバイル機器が電源オフ状態にある場合であっても、当該他のモバイル機器に対して起動信号を送信することにより、当該他のモバイル機器を起動させることができるので、所望の情報を取得し、表示部１３に表示させることができる。これにより、ユーザは、他のモバイル機器を操作することなく、所望の情報を確実に確認することができる。
【００３６】
更に、本実施形態に係るモバイル機器システムによれば、一のモバイル機器の情報記憶部１５に記憶されている情報が更新された場合には、その更新情報が他のモバイル機器にも通知され、他のモバイル機器におけるリスト記憶部１８のリストも更新されることとなるので、常に最新のリスト情報をモバイル機器間で共有することができる。これにより、ユーザは、いずれのモバイル機器を操作している場合でも、所望のデータを当該操作しているモバイル機器により確認することができる。
【００３７】
なお、上述した本実施形態においては、携帯電話機３の表示部１３に表示される画面が図５から図９に遷移することにより、ユーザが所望の情報を指定することとしたが、この画面遷移は一例であり、例えば、以下のような画面遷移により情報を指定することとしてもよい。
【００３８】
〔第１の変形例〕
例えば、図１１に示すように、まずは、表示部１３に全てのモバイル機器のアイコンを表示し、この表示画面においてユーザにより一のモバイル機器が指定された場合に、指定されたモバイル機器の情報記憶部１５に記憶されているデータのファイル種別を表示させる。例えば、図１２に示すように、図１１に示した表示画面において携帯電話機３が指定された場合には、図３に示すように、制御部１６は携帯電話機のリストのファイル種別をリスト記憶部１８内から読み出し、読み出したファイル種別を図１３に示すように表示させる。この画面において、ユーザにより一のファイル種別が指定されると、例えば、「音楽」のファイル種別が指定されると、制御部１６は、携帯電話機３の情報記憶部１５に格納されている音楽のファイルまたはデータのリストをリスト記憶部１８のリストを参照することにより読み出し、これを表示部１３に表示させる。これにより、図１４に示すように、携帯電話機３の情報記憶部１５に記憶されている音楽ファイルのリストが表示される。この画面において、ユーザは所望のファイルまたはデータを指定する。
【００３９】
〔第２の変形例〕
例えば、図１５に示すように、制御部１６は、まず、リスト記憶部１８からファイル種別を読み出し、このファイル種別を表示部１３に表示させる。この表示画面において、ユーザにより一のファイル種別、例えば、図１６に示すように、「写真」が指定されると、制御部１６は、ファイル種別「写真」に対応するファイル情報を図３に示すリストから特定し、特定したファイル情報を表示部１３に表示させる。
ここでは、図３に示したように、「写真」のファイル種別に対応するファイル情報は、Ｃ１，Ｃ２，Ｃ３，Ｇ１，Ｇ２，Ｇ３であるので、制御部１６は図１７に示すように、これらのファイル名を表示部１３に表示する。この画面において、ユーザは、所望のファイルまたはデータを指定する。
このように、本変形例によれば、ファイル種別の一覧を表示部１３に表示するので、換言すると、どのファイルがどのモバイル機器の情報記憶部１５に格納されているかという情報を表示部１３に表示させないので、ユーザは所望するファイル情報がどのモバイル機器の情報記憶部１５に格納されているのかを意識することなく、所望のファイルを容易に指定することができる。
【００４０】
〔第３の変形例〕
例えば、制御部１６は、リスト記憶部１８からファイル種別及び該ファイル種別に対応するファイル情報を読み出し、読み出したファイル情報をファイル種別毎に区分して表示部１３に表示させる（図１８参照）。
このように、本変形例によれば、各モバイル機器の情報記憶部１５に記憶されている各種ファイルがファイル種別ごとに分類されて一覧として表示する一方で、どのモバイル機器の情報記憶部１５に、どのファイル情報が格納されているのかという情報を一切表示させないので、ユーザはこの表示画面において、所望のファイルがどのモバイル機器の情報記憶部１５に格納されているのかを意識することなく、所望のファイルを指定することができる。また、本変形例によれば、具体的なファイル名が表示部１３に表示されることとなるので、ユーザはこの初期画面において所望のファイルを直接的に指定することができる。
【００４１】
以上、本発明の実施形態について図面を参照して詳述してきたが、具体的な構成はこの実施形態に限られるものではなく、本発明の要旨を逸脱しない範囲の設計変更等も含まれる。
【図面の簡単な説明】
【００４２】
【図１】本発明の一実施形態に係るモバイル機器システムの構成を示す図である。
【図２】本発明の一実施形態に係るモバイル機器システムの各モバイル機器が共通で備える構成要素を示した図である。
【図３】リスト記憶部に格納されているリストの一例を示した図である。
【図４】本発明の一実施形態に係る制御部により実行される処理の処理手順を示したフローチャートである。
【図５】表示画面の一例を示した図である。
【図６】図５に示した表示画面において写真が選択されたときの表示画面を示した図である。
【図７】図５に示した表示画面において写真が選択されたときの表示画面の遷移を示した図である。
【図８】図７に示した表示画面において携帯電話機が選択されたときの表示画面を示した図である。
【図９】図７に示した表示画面において携帯電話機が選択されたときの表示画面の遷移を示した図である。
【図１０】本発明の一実施形態に係る制御部により実行されるリスト更新処理の処理手順を示したタイミングチャートである。
【図１１】第１の変形例に係る表示画面の一例を示した図である。
【図１２】図１１に示した表示画面において携帯電話機が選択されたときの表示画面の一例を示した図である。
【図１３】図１１に示した表示画面において携帯電話機が選択されたときの表示画面の遷移を示した図である。
【図１４】図１１に示した表示画面において携帯電話機が選択されたときの表示画面の遷移を示した図である。
【図１５】第２の変形例に係る表示画面の一例を示した図である。
【図１６】図１５に示した表示画面において写真が選択されたときの表示画面を示した図である。
【図１７】図１５に示した表示画面において写真が選択されたときの表示画面の遷移を示した図である。
【図１８】第３の変形例に係る表示画面の一例を示した図である。
【符号の説明】
【００４３】
１  モバイル機器システム
３  携帯電話機
４  携帯型音楽再生機
５  ＰＤＡ
６  ラップトップパソコン
１２  通信部
１３  表示部
１４  入力部
１５  情報記憶部
１６  制御部
１７  バス
１８  リスト記憶部
１９  リスト更新部
２０  起動部
【図１】
2008085791.tif 000003
【図２】
2008085791.tif 000004
【図３】
2008085791.tif 000005
【図４】
2008085791.tif 000006
【図５】
2008085791.tif 000007
【図６】
2008085791.tif 000008
【図７】
2008085791.tif 000009
【図８】
2008085791.tif 000010
【図９】
2008085791.tif 000011
【図１０】
2008085791.tif 000012
【図１１】
2008085791.tif 000013
【図１２】
2008085791.tif 000014
【図１３】
2008085791.tif 000015
【図１４】
2008085791.tif 000016
【図１５】
2008085791.tif 000017
【図１６】
2008085791.tif 000018
【図１７】
2008085791.tif 000019
【図１８】
2008085791.tif 000020